(57)【特許請求の範囲】
【請求項１】
上段ロッカー部と下段ロッカー部とに連通する連通孔を形成したホームロッカーにおいて、該ホームロッカーの上段ロッカー部の底板には前記シャッターが通過する連通孔に当接した側面を跳ね上げ回動可能とする可動アームを備え、該可動アームの支持側端部には、可動アームの開放状態で下段ロッカー部のシャッターが衝止されて閉動不可能にさせ且つ下段ロッカー部のシャッターが閉塞されている状態で可動アームをロッカー側柱方向へ跳ね上げ回動させるのを阻止するためのストッパー突部が設けられていることを特徴とするホームロッカー。
【請求項２】
ホームロッカーの底板の上面縁側に形成したシャッターの下端部がスライド可能に保持される上側嵌合溝内に転動体が回転自在に嵌挿されている請求項１記載のホームロッカー。
【請求項３】
ホームロッカーの底板の上面縁側に形成したシャッターの下端部がスライド可能に保持される上側嵌合溝内に沿って断面Ｌ字型の壁面部が設けられている請求項１または２記載のホームロッカー。
【請求項４】
前記下段ロッカー部の底板には、ペグ固定用の舌片部が主底面より連続して一体突設されている請求項１乃至３のいずれか記載のホームロッカー。
【発明の詳細な説明】
【０００１】
【発明の属する技術分野】
本発明は、主として背の高い物品も収納できるようにした横開きシャッター式のホームロッカーに関するものである。
【０００２】
【従来の技術】
従来、出願人自身が既に出願した登録実用新案第３０２０２９２号他公報に開示されている技術がある。すなわち、上側を覆う天井板と、両側に配設された側面パネルと、後側に配設された裏面パネルと、前記側面パネルおよび裏面パネルの下側に配設された底板と、前面にスライド可能に取り付けられ閉塞状態で前面壁を構成すると共に一方または両方にスライドさせることで開閉し得る単体または一対のシャッターとを備えて最上段ロッカー部を構成し、前記底板がその上面に前記側面パネル、裏面パネルおよびシャッターの夫々の下端部が入り込んで取り付けられる上側嵌合溝を形成すると共に、その下面に前記同様の側面パネル、裏面パネルおよびシャッターの夫々の上端部が入り込んで取り付けられる下側嵌合溝を形成して構成され、この底板の下側にこの底板を天井側の板としてさらに前記同様の側面パネル、裏面パネルおよびシャッターを取り付けて複数段にロッカー部を積み重ねて構成し、最下段ロッカー部以外の底板には、上段ロッカー部と下段ロッカー部とに連通する連通孔を形成した技術が提供されている。
【０００３】
【発明が解決しようとする課題】
しかしながら従来のホームロッカーでは、上記シャッター側には上側嵌合溝内でスムーズにスライドさせるためのコロ等を備えてはおらず、そのため開閉時にシャッターが上側嵌合溝内でスライド摩擦によって引っ掛かる等あまりスムーズにスライドさせることが望めなかった。また、シャッター下端縁部側にコロを設けたとしてもその分だけ構成が煩雑化するためにシャッター製造時に同一の金型で作成することが難しく且つ製造コストが嵩む等の問題点を有していた。また、連通孔を介して背の高い物品を上段ロッカー部と下段ロッカー部とに跨がって収納する場合、最下段ロッカー部以外のシャッターが通過する連通孔に当接した底板側面が邪魔になるため、長尺物を上段ロッカー部側から下段ロッカー部側へ差し込むようにして連通孔に挿入するか、または下段ロッカー部側から上段ロッカー部側へ連通孔を介して挿入するかして収納させなければならず、ホームロッカーに対する長尺収納物の搬入、搬出等が非常に困難となる問題点を有していた。さらに、上記シャッターが通過する上側嵌合溝内にはシャッターに当った雨水等の水滴が停溜し易く、また、ホームロッカー自体を転倒しないように保持固定するためのペグ固定用の付属部品等を必要とする等の問題点を有していた。
【０００４】
そこで本発明は、叙上のような従来存した問題点に鑑み創出されたものであり、本発明の第１の目的は、長尺収納物の搬入、搬出が容易となりホームロッカーの使い易さを向上させ、物品の搬入時の煩わしさを無くすように改良を加えたホームロッカーを提供することである。また、本発明の第２の目的は、従来のホームロッカーに比して、シャッター下端縁部側にコロを設けるようなことをしなくてもシャッターを上側嵌合溝内でスムーズにスライドさせることができ、そのためシャッター製造時に同一の金型で容易に作成することができ且つ製造コストも低減できるように改良を加えたホームロッカーを提供することにある。そして、本発明の第３の目的は、上記シャッターが通過する上側嵌合溝内への雨水等の水滴の停溜を解消させるように改良を加えたホームロッカーを提供することにある。さらに、本発明の第４の目的は、ホームロッカー自体を転倒しないように保持固定するためのペグ固定用の付属部品等を不要とするように改良を加えたホームロッカーを提供することにある。
【０００５】
【課題を解決するための手段】
このため、本発明にあっては、上段ロッカー部と下段ロッカー部とに連通する連通孔を形成したホームロッカーにおいて、該ホームロッカーの上段ロッカー部の底板には前記シャッターが通過する連通孔に当接した側面を跳ね上げ回動可能とする可動アームを備え、該可動アームの支持側端部には、可動アームの開放状態で下段ロッカー部のシャッターが衝止されて閉動不可能にさせ且つ下段ロッカー部のシャッターが閉塞されている状態で可動アームをロッカー側柱方向へ跳ね上げ回動させるのを阻止するためのストッパー突部が設けられていることで、上述した課題を解決した。また、ホームロッカーの底板の上面縁側に形成したシャッターの下端部がスライド可能に保持される上側嵌合溝内に転動体が回転自在に嵌挿されていることで、同じく上述した課題を解決した。そして、ホームロッカーの底板の上面縁側に形成したシャッターの下端部がスライド可能に保持される上側嵌合溝内に沿って断面Ｌ字型の壁面部が設けられていることで、同じく上述した課題を解決した。さらに、前記下段ロッカー部の底板には、ペグ固定用の舌片部が主底面より連続して一体突設されていることで、同じく上述した課題を解決した。
【０００６】
本発明に係るホームロッカーにあって、上段ロッカー部のシャッターが通過する連通孔に当接した底板側面を傾倒自在に可動とした可動アームは、長尺収納物の搬入、搬出時にロッカー側柱方向へ跳ね上げ回動されて、底板の連通孔に当接した側面のみが開放され凹溝状の開口部となってホームロッカー内への長尺収納物の搬入、搬出を可能とさせる。このとき、可動アームの端部に設けたストッパー突部は、可動アームの開放状態では下段ロッカー部のシャッターを閉動させるときにシャッターの上側前端縁部がストッパー突部に衝止されてシャッターの閉動を不可能にさせ、また、下段ロッカー部のシャッターが閉塞されている状態では可動アームをロッカー側柱方向へ跳ね上げ回動させようとしてもストッパー突部が下段ロッカー部のシャッターの上端縁部に突っ掛かりその回動を阻止させるため、シャッターの保護機能が達成される。また、上側嵌合溝内に回転自在に嵌挿された転動体は、シャッター下端縁部側にコロを設けるようなことをせずにシャッターを上側嵌合溝内でスムーズにスライドさせる。そのためシャッター製造時に同一の金型で容易に作成され且つ製造コストを低減させる。そして、上側嵌合溝内に沿って設けられた断面Ｌ字型の壁面部は、シャッターに雨水等の水滴が当たったときに、水滴は上側嵌合溝側へ流れて前記断面Ｌ字型の壁面部に誘導されながら外部へ流出させる。さらに、下段ロッカー部の底板に設けたペグ固定用の舌片部は、ペグ固定用の付属部品等を不要とさせ、ホームロッカー自体を転倒しないように保持固定させる。
【０００７】
【発明の実施の形態】
以下、図面を参照して本発明の実施の形態を説明するに、図において示される符号１は、主として背の高い物品も収納できるようにした横開きシャッター構造の多段式のホームロッカーであり、該ホームロッカー１は、図１に示すように、プラスチック製の材料により、袴板２を介して上段ロッカー部３と下段ロッカー部４とに例えば２段に積み重ねて構成されている。そして、上段ロッカー部３は、上側を覆う天井板５と、両側に配設された側面パネル６Ａと、後側に配設された裏面パネル７Ａと、側面パネル６Ａおよび裏面パネル７Ａの下側に配設されて底板を構成する袴板２、前面にスライド可能に取り付けられ閉塞状態で前面壁を構成すると共に一方または両方にスライドさせることで開閉し得る単体または一対のシャッター８Ａとを備えている。
【０００８】
このとき袴板２には、図２、図３に示すように、その上面に前記側面パネル６Ａ、裏面パネル７Ａおよびシャッター８Ａの夫々の下端部が入り込んで取り付けられる上側嵌合溝９Ａを形成すると共に、その下面には上段ロッカー部３と同一構成の下段ロッカー部４を構成する側面パネル６Ｂ、裏面パネル７Ｂおよびシャッター８Ｂの夫々の上端部が入り込んで取り付けられる下側嵌合溝１０を形成している。すなわち、この袴板２の下側に該袴板２自体を天井側の板としてさらに前記同様の側面パネル６Ｂ、裏面パネル７Ｂおよびシャッター８Ｂを取り付けて２段にロッカー部を積み重ねて構成している。また、下段ロッカー部４の底板１１の上面縁部側には上側嵌合溝９Ｂを形成している。さらに、前記最下段ロッカー部の底板には、ペグ固定用の舌片部２４を主底面より連続して一体突設させている（図１参照）。尚、本実施の形態においては上段ロッカー部３と下段ロッカー部４との２段式構造によるものとしているが、２段以上の複数段にロッカー部を積み重ねて構成しても良いことは勿論である。
【０００９】
そして、図１、図２、図３に示すように、袴板２には特に背の高い物品も容易に収納できるように上段ロッカー部３と下段ロッカー部４とに連通する連通孔１２を形成してあり、また袴板２には、図２、図３、図４に示すように、前記シャッター８Ａが通過する連通孔１２に当接した袴板２側面のみを傾倒自在に可動とする可動アーム１３を備えている。すなわち、可動アーム１３は、袴板２側面の連通孔１２に当接した長さ部分を切断して、側面パネル６Ａ前端側のロッカー側柱方向へ跳ね上げ回動可能となるように末端がロッカー側柱近傍に支持軸１４を介して枢着され、先端には係合部１５を設けて袴板２の切断箇所の被係合部１６に係架させることで切断された上側嵌合溝９Ａが連繋されて元の袴板２形状に復帰できるようにしてある。したがって、袴板２の連通孔１２に当接した側面のみが開放されることにより、連通孔１２自体が凹溝状の開口部となってホームロッカー１内への長尺収納物の搬入、搬出を可能とさせるのである。このとき、図３、図４、図５に示すように、ロッカー側柱には凹部１７を設け且つ前記可動アーム１３の支持軸１４側近傍の上面側には凹部１７に対向する略Ｌ字状の係合突起１８を設けてあり、可動アーム１３を側面パネル６Ａ前端側のロッカー側柱方向へ跳ね上げ回動させたときに該可動アーム１３がロッカー側柱から転倒復帰してしまうのを回避させるために可動アーム１３の係合突起１８をロッカー側柱の凹部１７に係合させて固定できるようにしてある（図５参照）。
【００１０】
また、図３、図４、図５に示すように、該可動アームの支持軸１４側端面には、ストッパー突部１９を設けてあり、可動アームの開放状態で下段ロッカー部４のシャッター８Ｂがストッパー突部１９に係止されて閉動不可能にさせる（図５参照）一方、下段ロッカー部４のシャッター８Ｂが閉塞されている状態ではストッパー突部１９の突っ掛かりにより可動アーム１３をロッカー側柱方向へ跳ね上げ回動させるのを阻止することで、シャッター８Ｂに対する保護機能を付与させている。
【００１１】
そして、前記シャッター８Ａ，８Ｂの下端部がスライド可能に保持されるように前記上側嵌合溝９Ａ，９Ｂ内には転動体２０を回転自在に嵌挿してある。すなわち、図３、図６、図７に示すように、前記シャッター８Ａ，８Ｂが夫々通過する袴板２の上側嵌合溝９Ａ内および底板１１の上側嵌合溝９Ｂ内には、例えばポリアセタール製等の自己潤滑性、耐光性、耐薬品性に優れた合成樹脂材、あるいはＡＢＳ製材等によるコロ、ボール、あるいはボール・ローラーベアリング等の転動体２０を回転可能に嵌挿保持させる嵌挿用凹所２１を設けている。すなわち、上側嵌合溝９Ａ，９Ｂに沿って略１０箇所に亙り等間隔毎に転動体２０として例えばコロの形状に略対応した形状となるように開穿させてある。このとき、コロ（２０）の回転軸突部２５を挿入し支承するために嵌挿用凹所２１の前後両壁面には縦溝２６を形成してあり、また、嵌挿用凹所２１の夫々底面には押切り型等により矩形、楕円、長円、円形等の下方へ通じる貫通孔２２を例えば前方側寄りに穿設している（図７参照）。
【００１２】
さらに、図３に示すように、前記袴板２、底板１１の上面縁側に形成したシャッター下端部がスライド可能に保持される上側嵌合溝９Ａ，９Ｂ内には、該上側嵌合溝９Ａ，９Ｂに沿ってその中央に案内レール２７が設けられ、該案内レール２７の前記可動アーム１３の両端箇所と袴板２側の可動アーム１３接続箇所とには、断面Ｌ字型の壁面部２３を設け、該壁面部２３と案内レール２７を介して形成される上側嵌合溝９Ａ，９Ｂの２条溝の相互を連通しないように仕切ってある。これによりシャッター８Ａ，８Ｂに雨水等の水滴が当たったときに、水滴は上側嵌合溝９Ａ，９Ｂの案内レール２７前方側だけを流れた後、前記断面Ｌ字型の壁面部２３に誘導されながら外部へ流出されるようにして上側嵌合溝９Ａ，９Ｂ内に雨水を停溜させないようにしている。
【００１３】
尚、図示例にあって、この可動アーム１３は前記ロッカー側柱方向へ跳ね上げ回動させる替わりに下方へ傾倒回動させ、下段ロッカー部４の側面パネル６Ｂ前端側のロッカー側柱へ接合するように構成することも可能である。また、前記天井部５、袴板２、底板１１の形状を前方へ向けて略かまぼこ型形状に形成し、両シャッター８Ａ，８Ｂが通過する凸状側の前面の両サイドコーナー部分を曲率が約１００以上となるように緩やかに構成されていても良い。
【００１４】
次に、本発明の使用の一例を説明するに、図１に示すように、ホームロッカー１の上段ロッカー部３または下段ロッカー部４のいずれかに物品を収納したり取り出したりする場合には、個々にシャッター８Ａまたはシャッター８Ｂを開閉させれば良く、さらに、背の高い長尺物品を収納したり取り出したりする場合には、先ずシャッター８Ａとシャッター８Ｂを開けてから可動アーム１３をロッカー側柱方向へ跳ね上げ回動させ、連通孔１２に当接した側面のみを開放させて凹溝状の開口部としてからホームロッカー１内へ長尺収納物を収納すれば良い。このとき、可動アーム１３の端部に設けたストッパー突部１９により下段ロッカー部４のシャッター８Ｂを閉動させるときにシャッター８Ｂの上側前端縁部がストッパー突部１９に衝止されるためシャッター８Ｂ自体の閉動を不可能にする。そして、収納後には可動アーム１３を傾倒させて元の袴板２形状に復帰させてからシャッター８Ａとシャッター８Ｂとを閉塞しロックさせれば良い。このとき、可動アーム１３をロッカー側柱方向へ跳ね上げ回動させようとしてもストッパー突部１９が下段ロッカー部４のシャッター８Ｂの上端縁部に突っ掛かるため可動アーム１３自体の回動が阻止されるのである。
【００１５】
【発明の効果】
本発明は以上のように構成されており、特に上段ロッカー部と下段ロッカー部とに連通する連通孔を形成したホームロッカーにおいて、該ホームロッカーの上段ロッカー部の底板には前記シャッターが通過する連通孔に当接した側面を跳ね上げ回動可能とする可動アームを備え、該可動アームの支持側端部には、可動アームの開放状態で下段ロッカー部のシャッターが衝止されて閉動不可能にさせ且つ下段ロッカー部のシャッターが閉塞されている状態で可動アームをロッカー側柱方向へ跳ね上げ回動させるのを阻止するためのストッパー突部を備えているので、長尺収納物の搬入、搬出時に可動アームをロッカー側柱方向へ跳ね上げ回動させて底板の連通孔に当接した側面のみが開放され凹溝状の開口部となってホームロッカー内への長尺収納物の搬入、搬出を可能とさせるため、従来のホームロッカーに比して、長尺収納物の搬入、搬出が容易となりホームロッカーの使い易さを向上させ、物品の搬入時の煩わしさを無くすことができる。そして、可動アームの端部に設けたストッパー突部により、可動アームの開放状態で下段ロッカー部のシャッターを閉動させるときにシャッターの上側前端縁部をストッパー突部に衝止させてシャッターの閉動を不可能にし、また、下段ロッカー部のシャッターが閉塞されている状態で可動アームをロッカー側柱方向へ跳ね上げ回動させようとしてもストッパー突部が下段ロッカー部のシャッターの上端縁部に突っ掛かりその回動を阻止することができるため、シャッターの保護機能を十分に達成することができる。
【００１６】
また、底板の上面縁側に形成したシャッターの下端部がスライド可能に保持される上側嵌合溝内に転動体が回転自在に嵌挿されているので、シャッターを上側嵌合溝内でスムーズにスライドさせることができ、またシャッター下端縁部側にコロを付設するものではないためシャッター製造時に同一の金型で容易に作成され且つ製造コストを低減させることができる。
【００１７】
そして、底板の上面縁側に形成したシャッターの下端部がスライド可能に保持される上側嵌合溝内に沿って断面Ｌ字型の壁面部が設けられているので、シャッターに雨水等の水滴が当たったときに、水滴が上側嵌合溝側へ流れても上側嵌合溝内に停溜することなく断面Ｌ字型の壁面部に誘導されながら外部へ流出させることができる。
【００１８】
さらに、前記下段ロッカー部の底板には、ペグ固定用の舌片部が主底面より連続して一体突設されているので、ペグ固定用の付属部品等を他に用意しなくてもホームロッカー自体を転倒しないように容易に保持固定することができる。
【図面の簡単な説明】
【図１】  本発明の実施の形態を示したホームロッカーの全体斜視図である。
【図２】  同じく可動アーム周辺の概略を示す斜視図である。
【図３】  同じく可動アームを袴板より分解させた状態の可動アームの閉塞状態周辺の概略を示す平面図である。
【図４】  同じく可動アームの閉塞状態周辺の概略を示す断面図である。
【図５】  同じく可動アームの開放状態の支持軸周辺の概略を示す断面図である。
【図６】  同じく上側嵌合溝内に転動体が嵌挿される状態を示す要部の斜視図である。
【図７】  同じく上側嵌合溝内に転動体が嵌挿されている状態を示す断面図である。
【符号の説明】
１…ホームロッカー          ２…袴板
３…上段ロッカー部          ４…下段ロッカー部
５…天井板                  ６Ａ，６Ｂ…側面パネル
７Ａ，７Ｂ…裏面パネル      ８Ａ，８Ｂ…シャッター
９Ａ，９Ｂ…上側嵌合溝      １０…下側嵌合溝
１１…底板                  １２…連通孔
１３…可動アーム            １４…支持軸
１５…係合部                １６…被係合部
１７…凹部                  １８…係合突起
１９…ストッパー突部        ２０…転動体
２１…嵌挿用凹所            ２２…貫通孔
２３…壁面部                ２４…舌片部
２５…回転軸突部            ２６…縦溝
２７…案内レール
【図１】
0003765513.tif 000002
【図２】
0003765513.tif 000003
【図３】
0003765513.tif 000004
【図４】
0003765513.tif 000005
【図５】
0003765513.tif 000006
【図６】
0003765513.tif 000007
【図７】
0003765513.tif 000008